(57)【要約】      （修正有）【課題】無電極放電ランプのリングの直径が異なっても、セードや反射板の変更の必要のない無電極照明装置を提供する。【解決手段】無電極照明装置１は、水平状態で配置されるリング状の無電極放電ランプ２と、無電極放電ランプ２を覆うセード３と、無電極放電ランプ２とセード３との間に配置され、無電極放電ランプ２のリングの中心から鉛直上方に向かって漸次拡径するラッパ状に形成された反射板４と、反射板４の上端周縁部から下方に延出して設けられ、無電極放電ランプ２が固定されるランプ固定具５と、セード３の上部に設置され、無電極放電ランプ２に電源を供給する安定器６と、を備えている。そして、ランプ固定具５は、取り付けられる無電極放電ランプのリングの直径に応じて、当該無電極放電ランプが固定される位置を変更できるようにされている。【選択図】図１
0003206766.tif 000002
【実用新案登録請求の範囲】
【請求項１】
略水平状態で配置されるリング状の無電極放電ランプと、
前記無電極放電ランプを覆うセードと、
前記無電極放電ランプと前記セードとの間に配置され、前記無電極放電ランプのリングの略中心から略鉛直上方に向かって拡径するラッパ状に形成された反射板と、
前記反射板の側方で下方に延出して設けられ、前記無電極放電ランプが固定されるランプ固定具と、を備え、
前記ランプ固定具は、取り付けられる前記無電極放電ランプのリングの直径に応じて、当該無電極放電ランプが固定される位置を変更できることを特徴とする無電極照明装置。
【請求項２】
前記ランプ固定具は、前記無電極放電ランプが固定される位置を、当該無電極放電ランプのリングの径方向に変更できる、請求項１に記載の無電極照明装置。
【請求項３】
前記ランプ固定具は、前記無電極放電ランプのリングの直径が前記セードの直径と同程度以上である場合に、前記無電極放電ランプが固定される位置を、通常よりも下方に変更できる、請求項１又は２に記載の無電極照明装置。
【請求項４】
前記反射板の前記反射面の、水平面を基準とした仰角は、単一の角度ではなく、前記無電極放電ランプのリングの略中心から遠い部分の仰角が近い部分の仰角に比べて小さい、請求項１〜３のいずれか１項に記載の無電極照明装置。
【考案の詳細な説明】
【技術分野】
【０００１】
本考案は、発光管内に電極を有さず、放電によって発光する無電極放電ランプを備えた無電極照明装置に関する。
【背景技術】
【０００２】
従来、この種の無電極照明装置としては、水平状態で配置されるリング状の無電極放電ランプと、前記無電極放電ランプを覆うセードと、前記無電極放電ランプと前記セードとの間に配置され、前記無電極放電ランプのリングの中心から鉛直上方に向かって拡径するラッパ状に形成された反射板と、を備えた構造のものが知られている。また、この種の無電極照明装置の過度な加熱を防止する技術も知られている（以上、例えば、特許文献１参照）。
【先行技術文献】
【特許文献】
【０００３】
【特許文献１】特開２０１４−２０３５５８号公報
【考案の概要】
【考案が解決しようとする課題】
【０００４】
しかし、既存の無電極照明装置には、以下のような課題が残されている。すなわち、無電極放電ランプは、指向性が強いＬＥＤ（Light Emitting Diode）ランプに比べて、広角に照らすことが可能であることを特徴としている。従って、かかる無電極放電ランプの特徴を活かすためには、広角に照らすことが可能なセードや反射板を用いた構造とすることが望ましい。
【０００５】
さらに、リング状の無電極放電ランプについて言えば、その種類（ワット数）が異なると、そのリングの直径が異なるため、セードや反射板の大きさを変更する必要が生じる。そのため、無電極放電ランプの種類ごとに異なる大きさのセードや反射板を準備する必要が生じてしまう。
【０００６】
本考案は、従来技術における前記課題を解決するためになされたものであり、広角に照らすことが可能であるという無電極放電ランプの特徴を活かした構造を有し、かつ、取り付けられる無電極放電ランプの種類（リングの直径）が異なっても、セードや反射板の変更が可能な限り必要のない無電極照明装置を提供することを目的とする。
【課題を解決するための手段】
【０００７】
前記目的を達成するため、本考案に係る無電極照明装置の構成は、
（１）略水平状態で配置されるリング状の無電極放電ランプと、
前記無電極放電ランプを覆うセードと、
前記無電極放電ランプと前記セードとの間に配置され、前記無電極放電ランプのリングの略中心から略鉛直上方に向かって拡径するラッパ状に形成された反射板と、
前記反射板の側方で下方に延出して設けられ、前記無電極放電ランプが固定されるランプ固定具と、を備え、
前記ランプ固定具は、取り付けられる前記無電極放電ランプのリングの直径に応じて、当該無電極放電ランプが固定される位置を変更できることを特徴とする。
【０００８】
本考案において、「下方に延出して」には、「真下方向に延出して」設けられる場合のみならず、「斜め下方向に延出して」設けられる場合も含まれるものとする。
【０００９】
本考案の無電極照明装置の上記（１）の構成によれば、広角に照らすことが可能なセードや反射板を用いることにより、広角に照らすことが可能であるという無電極放電ランプの特徴を活かした構造を実現することができる。また、セードや反射板とは無関係に、ランプ固定具の、無電極放電ランプが固定される位置を変更するだけで、種類（リングの直径）の異なる無電極放電ランプに取り替えることができる。その結果、取り付けられる無電極放電ランプの種類（リングの直径）が異なっても、セードや反射板の変更が可能な限り必要のない無電極照明装置を実現することができる。
すなわち、本考案の無電極照明装置の上記（１）の構成によれば、広角に照らすことが可能であるという無電極放電ランプの特徴を活かした構造を有し、かつ、取り付けられる無電極放電ランプの種類（リングの直径）が異なっても、セードや反射板の変更が可能な限り必要のない無電極照明装置を提供することができる。
【００１０】
本考案の無電極照明装置の上記（１）の構成においては、以下の（２）〜（４）のような構成にすることが好ましい。
【００１１】
（２）上記（１）の構成において、前記ランプ固定具は、前記無電極放電ランプが固定される位置を、当該無電極放電ランプのリングの径方向に変更できる。
【００１２】
上記（２）の好ましい構成によれば、取付高さを変えることなく種類（リングの直径）の異なる無電極放電ランプに取り替えることができる。
【００１３】
（３）上記（１）又は（２）の構成において、前記ランプ固定具は、前記無電極放電ランプのリングの直径が前記セードの直径と同程度以上である場合に、前記無電極放電ランプが固定される位置を、通常よりも下方に変更できる。
【００１４】
上記（３）の好ましい構成によれば、リングの直径がセードの直径と同程度以上の無電極放電ランプに取り替える場合に、当該無電極放電ランプが固定される位置を、通常よりも下方に変更して、取り替えた後の無電極放電ランプがセードに接触しないようにすることができる。
【００１５】
（４）上記（１）〜（３）のいずれかの構成において、前記反射板の前記反射面の、水平面を基準とした仰角は、単一の角度ではなく、前記無電極放電ランプのリングの略中心から遠い部分の仰角が近い部分の仰角に比べて小さい。すなわち、反射板の反射面の、水平面を基準とした仰角は、２段階に変化している。
【００１６】
上記（４）の好ましい構成によれば、セードが縦に長い場合であっても、下方向への反射光を増やすことができる。
【考案の効果】
【００１７】
本考案によれば、広角に照らすことが可能であるという無電極放電ランプの特徴を活かした構造を有し、かつ、取り付けられる無電極放電ランプの種類（リングの直径）が異なっても、セードや反射板の変更が可能な限り必要のない無電極照明装置を提供することができる。
【図面の簡単な説明】
【００１８】
【図１】図１は本考案の実施の形態１における無電極照明装置の構成を示す透視正面図（取り付けられる無電極放電ランプのリングの直径が小さい場合）である。
【図２】図２は本考案の実施の形態１における無電極照明装置の構成を示す透視正面図（取り付けられる無電極放電ランプのリングの直径が大きい場合）である。
【図３】図３は本考案の実施の形態１における無電極照明装置の他の構成を示す透視正面図である。
【図４】図４は本考案の実施の形態２における無電極照明装置の構成を示す透視正面図である。
【図５】図５は本考案の実施の形態３における無電極照明装置の構成を示す透視正面図（取り付けられる無電極放電ランプのリングの直径が小さい場合）である。
【図６】図６は本考案の実施の形態３における無電極照明装置の構成を示す透視正面図（取り付けられる無電極放電ランプのリングの直径が大きい場合）である。
【図７】図７は本考案の実施の形態４における無電極照明装置の構成を示す透視正面図である。
【図８】図８は本考案の実施の形態５における無電極照明装置の構成を示す透視正面図である。
【考案を実施するための形態】
【００１９】
以下、好適な実施の形態を用いて本考案をさらに具体的に説明する。但し、下記の実施の形態は本考案を具現化した例に過ぎず、本考案はこれに限定されるものではない。
【００２０】
［実施の形態１］
（無電極照明装置の構成）
まず、本考案の実施の形態１における無電極照明装置の構成について、図１を参照しながら説明する。
【００２１】
図１は本考案の実施の形態１における無電極照明装置の構成を示す透視正面図（取り付けられる無電極放電ランプのリングの直径が小さい場合）である。
【００２２】
図１に示すように、本実施の形態の無電極照明装置１は、水平状態で配置されるリング状の無電極放電ランプ２と、無電極放電ランプ２を覆うセード（反射笠）３と、無電極放電ランプ２とセード３との間に配置され、無電極放電ランプ２のリングの中心から鉛直上方に向かって漸次拡径するラッパ状に形成された反射板４と、反射板４の側方で下方に延出して設けられ、無電極放電ランプ２が固定されるランプ固定具５と、セード３の上部に設置され、無電極放電ランプ２に電源を供給する安定器６と、を備えている。ランプ固定具５は、さらに具体的には、反射板４の上端周縁部から下方に延出して設けられている。そして、ランプ固定具５は、取り付けられる無電極放電ランプのリングの直径に応じて、当該無電極放電ランプが固定される位置を変更できるようにされている。
【００２３】
本実施の形態の無電極照明装置１の構成によれば、広角に照らすことが可能なセード３や反射板４を用いることにより、広角に照らすことが可能であるという無電極放電ランプの特徴を活かした構造を実現することができる。さらに、セード３や反射板４とは無関係に、ランプ固定具５の、無電極放電ランプが固定される位置を変更するだけで、種類（リングの直径）の異なる無電極放電ランプに取り替えることができる。その結果、取り付けられる無電極放電ランプの種類（リングの直径）が異なっても、セード３や反射板４の変更が可能な限り必要のない無電極照明装置を実現することができる。
すなわち、本実施の形態の無電極照明装置１の構成によれば、広角に照らすことが可能であるという無電極放電ランプの特徴を活かした構造を有し、かつ、取り付けられる無電極放電ランプの種類（リングの直径）が異なっても、セード３や反射板４の変更が可能な限り必要のない無電極照明装置を提供することができる。
【００２４】
無電極放電ランプ２は、電磁誘導の原理と放電による発光の原理に基づいた仕組みが採用されており、蛍光ランプや水銀ランプなどのように発光管内にフィラメント電極を有していない。尚、図１中、参照符号７は、安定器６からの通電によって磁界を発生させて無電極放電ランプ２を点灯させる誘導コイルを示しており、当該誘導コイル７は、無電極放電ランプ２に巻回されたコイル部７ａと、コイル部７ａの外周に装着されたリング状の放熱部７ｂと、を備えている。誘導コイル７は、リング状の無電極放電ランプ２の対向する二箇所に巻回されて、無電極放電ランプ２を保持している。また、放熱部７ｂの上側部分は矩形凸状に折り曲げて形成されており、その水平部分には、左右２つのビス孔８が穿設されている。
【００２５】
セード３は、三段の膨らみを有する椀状に形成されており、その内面に高純度アルミニウム製の反射面を有している。
反射板４は、その外面に高純度アルミニウム製の反射面を有している。反射板４は、セード３内の二段目の膨らみ部分に配置され、その中心軸を通る六角ボルト４ａとナット４ｂによってセード３に固定されている。
【００２６】
ランプ固定具５は、反射板４の上端面に固定され、当該反射板４の上端周縁部の対向する二箇所から真下方向にＬ字状に延出して設けられている。ここで、各Ｌ字状延出部の水平部分は、外方に延びており、当該水平部分には、左右方向に沿って放熱部７ｂの左右２つのビス孔８間の間隔と同じ間隔を置いて３つのビス孔９が穿設されている。そして、各放熱部７ｂの左右２つのビス孔８を、ランプ固定具５の各Ｌ字状延出部の左右２つのビス孔９に合致させて、各放熱部７ｂをランプ固定具５の各Ｌ字状延出部にビス留めすることにより、無電極放電ランプ２をランプ固定具５に固定できるようにされている。
この場合、各Ｌ字状延出部の水平部分には、左右方向に沿って放熱部７ｂの左右２つのビス孔８間の間隔と同じ間隔を置いて３つのビス孔９が穿設されているので、取り付けられる無電極放電ランプのリングの直径に応じて、当該無電極放電ランプのランプ固定具５上での固定位置（ビス留め位置）を当該無電極放電ランプのリングの径方向に変更することができる。
【００２７】
かかる構成によれば、ランプ固定具５の、無電極放電ランプが固定される位置を、当該無電極放電ランプのリングの径方向に変更するだけで、種類（リングの直径）の異なる無電極放電ランプに取り替えることができる。その結果、取り付けられる無電極放電ランプの種類（リングの直径）が異なっても、セード１８や反射板１９の変更が可能な限り必要のない無電極照明装置を実現することができる。
また、かかる構成によれば、取付高さを変えることなく種類（リングの直径）の異なる無電極放電ランプに取り替えることができる。
【００２８】
（無電極放電ランプの取替方法）
次に、本実施の形態の無電極照明装置における無電極放電ランプの取替方法について、図２をも参照しながら説明する。
【００２９】
図２は本考案の実施の形態１における無電極照明装置の構成を示す透視正面図（取り付けられる無電極放電ランプのリングの直径が大きい場合）である。
【００３０】
図１に示すように、最初、無電極照明装置１には、リングの直径の小さい無電極放電ランプ２が取り付けられている。より具体的には、リングの直径の小さい無電極放電ランプ２の各放熱部７ｂの左右２つのビス孔８を、ランプ固定具５の各Ｌ字状延出部の内側の左右２つのビス孔９に合致させて、各放熱部７ｂをランプ固定具５の各Ｌ字状延出部にビス留めすることにより、リングの直径の小さい無電極放電ランプ２がランプ固定具５に固定されている。
【００３１】
リングの直径の大きい（種類（ワット数）の異なる）無電極放電ランプに取り替える場合には、図１の状態から、リングの直径の小さい無電極放電ランプ２を取り外し、図２に示すように、リングの直径の大きい無電極放電ランプ１０の各放熱部７ｂの左右２つのビス孔８を、ランプ固定具５の各Ｌ字状延出部の外側の左右２つのビス孔９に合致させて、各放熱部７ｂをランプ固定具５の各Ｌ字状延出部にビス留めすることにより、リングの直径の大きい無電極放電ランプ１０をランプ固定具５に固定する。
このように本実施の形態の無電極照明装置１の構成によれば、ランプ固定具５の、無電極放電ランプが固定される位置を、当該無電極放電ランプのリングの径方向に変更するだけで、種類（リングの直径）の異なる無電極放電ランプに容易に取り替えることができ、取替えに際してセード３や反射板４の変更も不要である。
【００３２】
尚、本実施の形態においては、三段の膨らみを有する椀状に形成されたセード３を備える場合を例に挙げて説明したが、本考案は必ずしもこのような構成に限定されるものではない。セードの形状は任意であり、例えば、図３に示すように、二段の膨らみを有する椀状に形成されたセード１１を備えるようにしてもよい。
【００３３】
また、本実施の形態においては、各放熱部７ｂの左右２つのビス孔８を、ランプ固定具５の各Ｌ字状延出部の左右２つのビス孔９に合致させて、各放熱部７ｂをランプ固定具５の各Ｌ字状延出部にビス留めする場合を例に挙げて説明したが、本考案は必ずしもこのような構成に限定されるものではない。例えば、図３に示すように、各放熱部７ｂの外側の１つのビス孔８を、ランプ固定具５の各Ｌ字状延出部の内側の１つのビス孔９に合致させて、各放熱部７ｂをランプ固定具５の各Ｌ字状延出部にビス留めするようにしてもよい。かかる構成によれば、よりサイズ（直径）の小さいリング状の無電極放電ランプ１２にも対応させることが可能となる。
【００３４】
［実施の形態２］
（無電極照明装置の構成）
次に、本考案の実施の形態２における無電極照明装置の構成について、図４を参照しながら説明する。尚、上記実施の形態１における無電極照明装置１の構成要素と同一の構成要素には同一の参照符号を付し、その説明は省略する。
【００３５】
図４は本考案の実施の形態２における無電極照明装置の構成を示す透視正面図である。
【００３６】
図１，図２，図４に示すように、本実施の形態の無電極照明装置１３は、リング状の無電極放電ランプのリングの直径とランプ固定具の構成だけが上記実施の形態１の無電極照明装置１と異なっている。
図４に示すように、本実施の形態の無電極照明装置１３においては、ランプ固定具５の各Ｌ字状延出部の水平部分の先端から真下方向にＬ字状に延出して下方延長部材１５が設けられている。
ここで、下方延長部材１５は、ランプ固定具５のＬ字状延出部の水平部分に着脱可能にビス留めされている。
また、各下方延長部材１５のＬ字状延出部の水平部分は、外方に延びており、当該水平部分には、放熱部７ｂの左右２つのビス孔８間の間隔と同じ間隔を置いて左右２つのビス孔１６が穿設されている。そして、各放熱部７ｂの左右２つのビス孔８を、各下方延長部材１５の左右２つのビス孔１６に合致させて、各放熱部７ｂを各下方延長部材１５にビス留めすることにより、直径の大きいリング状の無電極放電ランプ１４を、下方延長部材１５を介してランプ固定具５に固定できるようにされている。
【００３７】
かかる構成によれば、リングの直径がセード３の直径と同程度以上の無電極放電ランプ１４に取り替える場合に、当該無電極放電ランプ１４が固定される位置を、通常よりも下方に変更して、取り替えた後の無電極放電ランプ１４がセード３に接触しないようにすることができる。
【００３８】
（無電極放電ランプの取替方法）
次に、本実施の形態の無電極照明装置における無電極放電ランプの取替方法について、図２をも参照しながら説明する。
【００３９】
図２に示すように、最初、無電極照明装置には、リングの直径がやや大きめの無電極放電ランプ１０が取り付けられている。より具体的には、リングの直径がやや大きめの無電極放電ランプ１０の各放熱部７ｂの左右２つのビス孔８を、ランプ固定具５の各Ｌ字状延出部の外側の左右２つのビス孔９に合致させて、各放熱部７ｂをランプ固定具５の各Ｌ字状延出部にビス留めすることにより、リングの直径がやや大きめの無電極放電ランプ１０がランプ固定具５に固定されている。
【００４０】
リングの直径が無電極放電ランプ１０よりも大きい（リングの直径がセード３の直径と同程度以上の）無電極放電ランプ１４に取り替える場合には、図２の状態から無電極放電ランプ１０を取り外した後、図４に示すように、まず、ランプ固定具５の各Ｌ字状延出部の水平部分に各下方延長部材１５をビス留めする。次いで、無電極放電ランプ１４の各放熱部７ｂの左右２つのビス孔８を、各下方延長部材１５の左右２つのビス孔１６に合致させて、各放熱部７ｂを各下方延長部材１５にビス留めすることにより、直径の大きいリング状の無電極放電ランプ１４を、下方延長部材１５を介してランプ固定具５に固定する。
このように本実施の形態の無電極照明装置１３の構成によれば、リングの直径がセード３の直径と同程度以上の無電極放電ランプ１４に取り替える場合に、当該無電極放電ランプ１４が固定される位置を、通常よりも下方に変更して、取り替えた後の無電極放電ランプ１４がセード３に接触しないようにすることができる。
【００４１】
［実施の形態３］
（無電極照明装置の構成）
次に、本考案の実施の形態３における無電極照明装置の構成について、図５を参照しながら説明する。尚、上記実施の形態１における無電極照明装置１の構成要素と同一の構成要素には同一の参照符号を付し、その説明は省略する。
【００４２】
図５は本考案の実施の形態３における無電極照明装置の構成を示す透視正面図（取り付けられる無電極放電ランプのリングの直径が小さい場合）である。
【００４３】
図５に示すように、本実施の形態の無電極照明装置１７は、水平状態で配置されるリング状の無電極放電ランプ２と、無電極放電ランプ２を覆うセード１８と、無電極放電ランプ２とセード１８との間に配置され、無電極放電ランプ２のリングの中心から鉛直上方に向かって漸次拡径するラッパ状に形成された反射板１９と、反射板１９の側方で下方に延出して設けられ、無電極放電ランプ２が固定されるランプ固定具２０と、セード１８の上部に設置され、無電極放電ランプ２に電源を供給する安定器６と、を備えている。ランプ固定具２０は、さらに具体的には、反射板１９の反射面から下方に延出して設けられている。そして、ランプ固定具２０は、取り付けられる無電極放電ランプのリングの直径に応じて、当該無電極放電ランプが固定される位置を変更できるようにされている。
【００４４】
本実施の形態の無電極照明装置１７の構成によれば、広角に照らすことが可能なセード１８や反射板１９を用いることにより、広角に照らすことが可能であるという無電極放電ランプの特徴を活かした構造を実現することができる。さらに、セード１８や反射板１９とは無関係に、ランプ固定具２０の、無電極放電ランプが固定される位置を変更するだけで、種類（リングの直径）の異なる無電極放電ランプに取り替えることができる。その結果、取り付けられる無電極放電ランプの種類（リングの直径）が異なっても、セード１８や反射板１９の変更が可能な限り必要のない無電極照明装置を実現することができる。
すなわち、本実施の形態の無電極照明装置１７の構成によれば、広角に照らすことが可能であるという無電極放電ランプの特徴を活かした構造を有し、かつ、取り付けられる無電極放電ランプの種類（リングの直径）が異なっても、セード１８や反射板１９の変更が可能な限り必要のない無電極照明装置を提供することができる。
【００４５】
セード１８は、上記実施の形態１，２の場合に比べて、縦長の椀状に形成されており、その内面に高純度アルミニウム製の反射面を有している。
反射板１９は、その外面に高純度アルミニウム製の反射面を有している。当該反射板１９は、セード１８内の略中央に配置され、その中心軸を通るピン１９ａとＥリング１９ｂによってセード１８に固定されている。
また、反射板１９の前記反射面の、水平面を基準とした仰角は、単一の角度ではなく、無電極放電ランプ２のリングの中心から遠い部分（第１反射面）の仰角θ１が近い部分（第２反射面）の仰角θ２に比べて小さく設定されている（θ１＜θ２）。すなわち、反射板１９の前記反射面の、水平面を基準とした仰角は、２段階に変化している。かかる構成によれば、本実施の形態の無電極照明装置１７のようにセード１８が縦に長い場合であっても、下方向への反射光を増やすことができる。
【００４６】
ランプ固定具２０は、反射板１９の上方で固定され、当該反射板１９の第１反射面と第２反射面の境界部分の対向する二箇所から下方に略Ｌ字状に延出して設けられている。ここで、各略Ｌ字状延出部の水平部分は、外方に延びており、当該水平部分には、左右方向に沿って放熱部７ｂの左右２つのビス孔８間の間隔と同じ間隔を置いて３つのビス孔２１が穿設されている。そして、各放熱部７ｂの左右２つのビス孔８を、ランプ固定具２０の各略Ｌ字状延出部の左右２つのビス孔２１に合致させて、各放熱部７ｂをランプ固定具２０の各略Ｌ字状延出部にビス留めすることにより、無電極放電ランプ２をランプ固定具２０に固定できるようにされている。
この場合、各略Ｌ字状延出部の水平部分には、左右方向に沿って放熱部７ｂの左右２つのビス孔８間の間隔と同じ間隔を置いて３つのビス孔２１が穿設されているので、取り付けられる無電極放電ランプの直径に応じて、当該無電極放電ランプのランプ固定具２０上での固定位置（ビス留め位置）を当該無電極放電ランプのリングの径方向に変更することができる。
【００４７】
かかる構成によれば、ランプ固定具２０の、無電極放電ランプが固定される位置を、当該無電極放電ランプのリングの径方向に変更するだけで、種類（リングの直径）の異なる無電極放電ランプに取り替えることができる。その結果、取り付けられる無電極放電ランプの種類（リングの直径）が異なっても、セード１８や反射板１９の変更が可能な限り必要のない無電極照明装置を実現することができる。
また、かかる構成によれば、取付高さを変えることなく種類（リングの直径）の異なる無電極放電ランプに取り替えることができる。
【００４８】
（無電極放電ランプの取替方法）
次に、本実施の形態の無電極照明装置における無電極放電ランプの取替方法について、図６をも参照しながら説明する。
【００４９】
図６は本考案の実施の形態３における無電極照明装置の構成を示す透視正面図（取り付けられる無電極放電ランプのリングの直径が大きい場合）である。
【００５０】
図５に示すように、最初、無電極照明装置１７には、リングの直径の小さい無電極放電ランプ２が取り付けられている。より具体的には、リングの直径の小さい無電極放電ランプ２の各放熱部７ｂの左右２つのビス孔８を、ランプ固定具２０の各略Ｌ字状延出部の内側の左右２つのビス孔２１に合致させて、各放熱部７ｂをランプ固定具２０の各略Ｌ字状延出部にビス留めすることにより、リングの直径の小さい無電極放電ランプ２がランプ固定具２０に固定されている。
【００５１】
リングの直径の大きい（種類（ワット数）の異なる）無電極放電ランプに取り替える場合には、図５の状態から、リングの直径の小さい無電極放電ランプ２を取り外し、図６に示すように、リングの直径の大きい無電極放電ランプ１０の各放熱部７ｂの左右２つのビス孔８を、ランプ固定具２０の各略Ｌ字状延出部の外側の左右２つのビス孔２１に合致させて、各放熱部７ｂをランプ固定具２０の各略Ｌ字状延出部にビス留めすることにより、リングの直径の大きい無電極放電ランプ１０をランプ固定具２０に固定する。  このように本実施の形態の無電極照明装置１７の構成によれば、ランプ固定具２０の、無電極放電ランプが固定される位置を、当該無電極放電ランプのリングの径方向に変更するだけで、種類（リングの直径）の異なる無電極放電ランプに容易に取り替えることができ、取替えに際してセード１８や反射板１９の変更も不要である。
【００５２】
［実施の形態４］
（無電極照明装置の構成）
次に、本考案の実施の形態４における無電極照明装置の構成について、図７を参照しながら説明する。尚、上記実施の形態３における無電極照明装置１７の構成要素と同一の構成要素には同一の参照符号を付し、その説明は省略する。
【００５３】
図７は本考案の実施の形態４における無電極照明装置の構成を示す透視正面図である。
【００５４】
図７に示すように、本実施の形態の無電極照明装置２２は、水平状態で配置されるリング状の無電極放電ランプ２３と、無電極放電ランプ２３を覆うセード１８と、無電極放電ランプ２３とセード１８との間に配置され、無電極放電ランプ２３のリングの中心から鉛直上方に向かって漸次拡径するラッパ状に形成された反射板１９と、反射板１９の側方で下方に延出して設けられ、無電極放電ランプ２３が固定されるランプ固定具２４と、セード１８の上部に設置され、無電極放電ランプ２３に電源を供給する安定器２５と、を備えている。ランプ固定具２４は、さらに具体的には、反射板１９の反射面から下方に延出して設けられている。そして、ランプ固定具２４は、取り付けられる無電極放電ランプのリングの直径に応じて、当該無電極放電ランプが固定される位置を変更できるようにされている。
【００５５】
本実施の形態の無電極照明装置２２の構成によれば、広角に照らすことが可能なセード１８や反射板１９を用いることにより、広角に照らすことが可能であるという無電極放電ランプの特徴を活かした構造を実現することができる。さらに、セード１８や反射板１９とは無関係に、ランプ固定具２４の、無電極放電ランプが固定される位置を変更するだけで、種類（リングの直径）の異なる無電極放電ランプに取り替えることができる。その結果、取り付けられる無電極放電ランプの種類（リングの直径）が異なっても、セード１８や反射板１９の変更が可能な限り必要のない無電極照明装置を実現することができる。
すなわち、本実施の形態の無電極照明装置２２の構成によれば、広角に照らすことが可能であるという無電極放電ランプの特徴を活かした構造を有し、かつ、取り付けられる無電極放電ランプの種類（リングの直径）が異なっても、セード１８や反射板１９の変更が可能な限り必要のない無電極照明装置を提供することができる。
【００５６】
ランプ固定具２４は、反射板１９の内部中央付近で固定され、当該反射板１９の第１反射面から斜め下方外方にＬ字状に延出して設けられている。ここで、各Ｌ字状延出部の下端部分は、斜め上方外方に延びており、当該下端部分には、放熱部７ｂの左右２つのビス孔８間の間隔と同じ間隔で左右２つのビス孔２６が穿設されている。そして、各放熱部７ｂの左右２つのビス孔８を、ランプ固定具２４の各Ｌ字状延出部の左右２つのビス孔２６に合致させて、各放熱部７ｂをランプ固定具２４の各Ｌ字状延出部にビス留めすることにより、無電極放電ランプ２３をランプ固定具２４に固定できるようにされている。
ここで、ランプ固定具２４のＬ字状延出部は、ランプ固定具本体に着脱可能にビス留めされており、異なる長さのものに付け替えることができるようにされている。すなわち、ランプ固定具２４は、取り付けられる無電極放電ランプのリングの直径に応じて、当該無電極放電ランプが固定される位置を、上下方向及び無電極放電ランプのリングの径方向に変更できるようにされている。
尚、各放熱部７ｂの１つのビス孔８を、ランプ固定具２４の各Ｌ字状延出部の１つのビス孔２６に合致させて、各放熱部７ｂをランプ固定具２４の各Ｌ字状延出部にビス留めするようにしてもよい。かかる構成によれば、ランプ固定具２４のＬ字状延出部を付け替えることなく、取り付けられる無電極放電ランプのリングの直径に応じて、当該無電極放電ランプが固定される位置を、上下方向及び無電極放電ランプのリングの径方向に変更することが可能となる。
【００５７】
（無電極放電ランプの取替方法）
次に、本実施の形態の無電極照明装置における無電極放電ランプの取替方法について説明する。
【００５８】
最初、無電極照明装置２２には、図７に示すような無電極放電ランプ２３が取り付けられている。より具体的には、無電極放電ランプ２３の各放熱部７ｂの左右２つのビス孔８を、ランプ固定具２４の各Ｌ字状延出部の左右２つのビス孔２６に合致させて、各放熱部７ｂをランプ固定具２４の各Ｌ字状延出部にビス留めすることにより、無電極放電ランプ２３がランプ固定具２４に固定されている。
【００５９】
種類（リングの直径）の異なる無電極放電ランプに取り替える場合には、図７の状態から、無電極放電ランプ２３を取り外した後、ランプ固定具２４の各Ｌ字状延出部を、異なる長さのものに付け替える。次いで、種類（リングの直径）の異なる無電極放電ランプの各放熱部７ｂの左右２つのビス孔８を、付け替えた各Ｌ字状延出部の左右２つのビス孔に合致させて、各放熱部７ｂを、付け替えた各Ｌ字状延出部にビス留めすることにより、種類（リングの直径）の異なる無電極放電ランプを、付け替えたＬ字状延出部を介してランプ固定具２４に固定する。  このように本実施の形態の無電極照明装置２２の構成によれば、ランプ固定具２４の各Ｌ字状延出部を、異なる長さのものに付け替えるだけで、種類（リングの直径）の異なる無電極放電ランプに容易に取り替えることができ、取替えに際してセード１８や反射板１９の変更も不要である。
【００６０】
［実施の形態５］
（無電極照明装置の構成）
次に、本考案の実施の形態５における無電極照明装置の構成について、図８を参照しながら説明する。尚、上記実施の形態４における無電極照明装置２２の構成要素と同一の構成要素には同一の参照符号を付し、その説明は省略する。
【００６１】
図８は本考案の実施の形態５における無電極照明装置の構成を示す透視正面図である。
【００６２】
図８に示すように、本実施の形態の無電極照明装置２７は、水平状態で配置されるリング状の無電極放電ランプ２８と、無電極放電ランプ２８を覆うセード２９と、無電極放電ランプ２８とセード２９との間に配置され、無電極放電ランプ２８のリングの中心から鉛直上方に向かって漸次拡径するラッパ状に形成された反射板１９と、反射板１９の側方で下方に延出して設けられ、無電極放電ランプ２８が固定されるランプ固定具３０と、セード２９の上部に設置され、無電極放電ランプ２８に電源を供給する安定器２５と、を備えている。ランプ固定具３０は、さらに具体的には、反射板１９の反射面から下方に延出して設けられている。そして、ランプ固定具３０は、取り付けられる無電極放電ランプのリングの直径に応じて、当該無電極放電ランプが固定される位置を変更できるようにされている。
【００６３】
本実施の形態の無電極照明装置２７の構成によれば、広角に照らすことが可能なセード２９や反射板１９を用いることにより、広角に照らすことが可能であるという無電極放電ランプの特徴を活かした構造を実現することができる。さらに、セード２９や反射板１９とは無関係に、ランプ固定具３０の、無電極放電ランプが固定される位置を変更するだけで、種類（リングの直径）の異なる無電極放電ランプに取り替えることができる。その結果、取り付けられる無電極放電ランプの種類（リングの直径）が異なっても、セード２９や反射板１９の変更が可能な限り必要のない無電極照明装置を実現することができる。
すなわち、本実施の形態の無電極照明装置２７の構成によれば、広角に照らすことが可能であるという無電極放電ランプの特徴を活かした構造を有し、かつ、取り付けられる無電極放電ランプの種類（リングの直径）が異なっても、セード２９や反射板１９の変更が可能な限り必要のない無電極照明装置を提供することができる。
【００６４】
ランプ固定具３０は、反射板１９の反射面に固定され、当該反射面から斜め下方外方にＬ字状に延出して設けられている。ここで、各Ｌ字状延出部の下端部分は、斜め下方内方に延びており、当該下端部分には、放熱部７ｂの左右２つのビス孔８間の間隔と同じ間隔で左右２つのビス孔３１が穿設されている。そして、各放熱部７ｂの左右２つのビス孔８を、ランプ固定具３０の各Ｌ字状延出部の左右２つのビス孔３１に合致させて、各放熱部７ｂをランプ固定具３０の各Ｌ字状延出部にビス留めすることにより、無電極放電ランプ２８をランプ固定具３０に固定できるようにされている。
この場合、ランプ固定具３０の各Ｌ字状延出部の下端部分が斜め下方内方に延びているため、サイズ（直径）の小さいリング状の無電極放電ランプ２８に対応させることが可能となる。また、各放熱部７ｂの１つのビス孔８を、ランプ固定具３０の各Ｌ字状延出部の１つのビス孔３１に合致させて、各放熱部７ｂをランプ固定具３０の各Ｌ字状延出部にビス留めするようにすることにより、さらにサイズ（直径）の小さいリング状の無電極放電ランプに交換することができると共に、サイズ（直径）の大きいリング状の無電極放電ランプに交換することもできる。
【符号の説明】
【００６５】
１，１３，１７，２２，２７  無電極照明装置
２，１０，１４，２３，２８  無電極放電ランプ
３，１１，１８，２９  セード
４，１９  反射板
４ａ  六角ボルト
４ｂ  ナット
５，２０，２４，３０  ランプ固定具
６，２５  安定器
７  誘導コイル
７ａ  コイル部
７ｂ  放熱部
８，９，１６，２１，２６，３１  ビス孔
１５  下方延長部材
１９ａ  ピン
１９ｂ  Ｅリング
【図１】
0003206766.tif 000003
【図２】
0003206766.tif 000004
【図３】
0003206766.tif 000005
【図４】
0003206766.tif 000006
【図５】
0003206766.tif 000007
【図６】
0003206766.tif 000008
【図７】
0003206766.tif 000009
【図８】
0003206766.tif 000010
【手続補正書】
【提出日】平成28年8月5日(2016.8.5)
【手続補正１】
【補正対象書類名】実用新案登録請求の範囲
【補正対象項目名】全文
【補正方法】変更
【補正の内容】
【実用新案登録請求の範囲】
【請求項１】
略水平状態で配置されるリング状の無電極放電ランプと、
前記無電極放電ランプを覆うセードと、
前記無電極放電ランプと前記セードとの間に配置され、前記無電極放電ランプのリングの略中心から略鉛直上方に向かって拡径するラッパ状に形成された反射板と、
前記反射板の側方で下方に延出して設けられ、前記無電極放電ランプが着脱可能にビス留め固定されるランプ固定具と、を備え、
前記ランプ固定具には、取り付けられる前記無電極放電ランプのリングの直径ごとの複数のビス孔が前記無電極放電ランプのリングの径方向に沿って穿設されていることを特徴とする無電極照明装置。
【請求項２】
前記ランプ固定具は、当該ランプ固定具の先端部に着脱可能にビス留め固定され、下方に延出して設けられる下方延長部材をさらに備え、
前記下方延長部材には、前記無電極放電ランプを着脱可能にビス留め固定するためのビス孔が穿設されている、請求項１に記載の無電極照明装置。
【請求項３】
前記反射板の反射面の、水平面を基準とした仰角は、単一の角度ではなく、前記無電極放電ランプのリングの略中心から遠い部分の仰角が近い部分の仰角に比べて小さい、請求項１又は２に記載の無電極照明装置。